(57)【要約】【課題】  従来のシンカーを利用して形成するパイル編とは異なって、編組織と糸使いとの特殊な組合せによりパイルを形成したインナー・ウェアを提供する。【解決手段】  緯編で編まれたインナー・ウェアであって、ポリウレタン糸を芯糸とするカバードヤーンＹｂおよび綿糸Ｙａを含んで編成されており、無張力状態ではインナー・ウェアの内面側において綿糸がパイルを形成しているパイル領域Ａがあり、パイル領域においてはカバードヤーンまたはカバードヤーンと捲縮加工糸とを組合せた糸が半分以上のコースにおいて使用されており、綿糸単独または綿糸とカバードヤーンとを組合せた糸が半分以下のコースにおいて使用されており、綿糸単独または綿糸とカバードヤーンとを組合せた糸によりコース方向において連続して２〜８ウェール分浮き編が行われている。【選択図】        図５
2006070399.tif 000002
【特許請求の範囲】
【請求項１】
緯編で編まれたインナー・ウェアであって、ポリウレタン糸を芯糸とするカバードヤーンおよび綿糸を含んで編成されており、無張力状態ではインナー・ウェアの内面側において前記綿糸がパイルを形成しているパイル領域があり、該パイル領域においてはカバードヤーンまたはカバードヤーンと捲縮加工糸とを組合せた糸が半分以上のコースにおいて使用されており、綿糸単独または綿糸とカバードヤーンとを組合せた糸が半分以下のコースにおいて使用されており、前記綿糸単独または綿糸とカバードヤーンとを組合せた糸によりコース方向において連続して２〜８ウェール分浮き編が行われていることを特徴とするインナー・ウェア。
【請求項２】
前記パイル領域において、インナー・ウェアの外面側はウェール方向に延びる凹凸が並列していて、リブ編風外観を有することを特徴とする請求項１記載のインナー・ウェア。
【請求項３】
前記パイル領域において、前記綿糸単独または綿糸とカバードヤーンとを組合せた糸によるコース方向に連続した浮き編が同じウェールにおいて繰返して行われ且つウェール方向において前記浮き編と前記カバードヤーンまたはカバードヤーンと捲縮加工糸とを組合せた糸による平編とが１〜４コース置きに編成されていることを特徴とする請求項１または２記載のインナー・ウェア。
【請求項４】
パイル領域における編地は、平編目がウェール方向に連続して編成される連続平編目ウェールと浮き編目がウェール方向に編成される浮き編目ウェールとからなり、コース方向において前記浮き編目ウェールが２〜８本連続して配置され次に連続平編目ウェールが１〜５本配置される繰返しであり、前記浮き編目ウェールにおける浮き編が綿糸単独または綿糸とカバードヤーンとを組合せた糸により行われ、該編地がリブ編風の外観を呈していることを特徴とする請求項１または２に記載のインナー・ウェア。
【請求項５】
前記パイル領域が後身頃において右肩から左脇下にかけておよび左肩から右脇下にかけて延びるＸ字状をなしていることを特徴とする請求項１〜４のいずれか１項に記載のインナー・ウェア。
【請求項６】
インナー・ウェアの内側に突出する凸部が多数形成されているマッサージ領域を有することを特徴とする請求項１〜５のいずれか１項に記載のインナー・ウェア。
【請求項７】
前身頃において乳房部を除いて肩からウエストまでが前記パイル領域であり、前記乳房部はほぼ全部の編目が平編であり、腹部および腰部がマッサージ領域であることを特徴とする請求項１〜６のいずれか１項に記載のインナー・ウェア。
【請求項８】
インナー・ウェアがパンツ部を有するものであり、左右のヒップ部が締め付け力の弱い編組織に編成され、ヒップ周縁部が前記パイル領域となっていることを特徴とする請求項１〜６のいずれか１項に記載のインナー・ウェア。
【発明の詳細な説明】
【技術分野】
【０００１】
本発明はインナー・ウェアに関するものである。本発明におけるインナー・ウェアは身体にフィットさせた状態で着用するものであり、例えば、パンツ部を有するインナー（ガードル、スパッツ、タイツ、パンティストッキング等）、上衣用インナー（タンクトップ、肌着、スリップ、チューブ・トップ、オール・イン・ワン等）、サポータ、腹巻、靴下（ソックス、ハイソックス、オーバーニー等）である。
【背景技術】
【０００２】
インナー・ウェアは肌に直接つけて衛生を保つ、体形を整える、表着との間に着て滑りをよくする、保温する等の機能の何れかを有するものであるが、最近では身体にフィットさせた状態で着用するインナー・ウェアが多用されている。このような身体にフィットさせた状態で着用するインナー・ウェアには、伸縮性の大きい編地が少なくともフィットさせたい部分に使用されている。
【０００３】
身体にフィットさせた状態で着用するインナー・ウェアでは、着圧を変化させることにより血液の還流を促したり、フィットさせた部位にマッサージ効果、リラックス効果等をもたらすことが従来から提案されている。
【０００４】
また、特許文献１には、ガードルに包まれた体の部位（臀部、尻および腿を包む領域）が平メッシュの編み面に対して浮き上がった波形を有するタックステッチメッシュによって形成されているタイツ用ガードルが提案されている。このガードルは、着用中の骨盤の運動により、隆起した波形領域が皮膚に対して摩擦を生じ、これによりマッサージ効果、爽快効果やリラックス効果を生じさせるものである。
【０００５】
前記特許文献１の発明を改良したものとして、特許文献２には、タック編による波形隆起部を複数本づつ群として、タック編部群とタック編部群との間に平編地を配設することが提案されている。タック編部群の間に平編地を介在させることによりマッサージ効果、爽快効果やリラックス効果をより高めようとするものである。
【０００６】
特許文献３には、インナー・ウェアの内面に突出する菱形の畝を出す形成したものが開示されており、この菱形の突起によってマッサージ効果を発揮することが開示されている。
【０００７】
前述したような特許文献１〜３に示したものにおいては、体にフィットさせたものとするために、編糸は主としてスパンデックスなどポリウレタンを芯としたカバードヤーンがその大部分を占めているものである。このため汗をかいた場合などは、そのインナー・ウェアは吸汗性が余りないものである。
【０００８】
特許文献４には、吸汗性のある素材をバストアンダーに縫着することが開示されている。特許文献５には、吸湿性に優れた布地素材を背中や脇下部分に縫着して二重とすることが開示されている。また、特許文献６にも同様に発汗量の多い領域に吸湿性繊維パッドを取付けることが開示されている。
【０００９】
これら特許文献４〜６に示されているようなものは吸汗性のある生地を縫着するなどしているので、その吸汗性を有する布地を縫着した部分は吸汗性に優れているものであるが、体にフィットするような構成とはなっていない。また、このようなものは肌着本体とは別の吸水性や吸汗性に優れた布地を縫着するために製造にも手間暇の掛かるという欠点がある。特許文献４〜６に開示されている肌着はマッサージ効果を有するものではない。
【００１０】
一方、最近では姿勢の悪い人が目立つようになっている。姿勢が悪いのは背筋力の衰えなどもあるが、姿勢に対して注意しない若い人などにも多く見られる。このように姿勢が悪く背中が丸まった状態であると、胸も縮まり、バストも垂下した状態となってしまい、見た目も悪くなってしまう。姿勢の悪さをインナー・ウェアによって正しくしようというものが提案されている。例えば、特許文献７には、体に密着するシャツ本体に伸縮性の低い帯状の布を縫い付け、この帯状の布が胸部から背中に延びるようにしている。これにより脊柱の動きを疎外せずに息をすることができるような衣類が提案されている。
【００１１】
しかし、特許文献７に示したような衣類においては、外力に対して伸縮し難く、伸ばした場合に強い反発力（縮む力）を生じるような伸縮性が低い帯状の布が胸部に複数本縫い付けられ、また背中部もこのような帯状布が縫い付けられているので、製造するのに手間が掛かり高価なものになってしまう。しかも、このような衣類を着用した際に、着用者の体型と帯状布の位置が適切に合えばよいが、人の体型、特に胸の位置などは様々であるため、必ずしも一致するものではなく、かえって邪魔になり着心地が悪いという問題がある。
【００１２】
【特許文献１】特開平１１−１５２６０７号公報
【特許文献２】特開２００１−３３６００１号公報
【特許文献３】特許第３４１５６１７号公報
【特許文献４】登録実用新案第３０２３６７４号公報
【特許文献５】特開２００３−２７８００３号公報
【特許文献６】特開２００１−０４０５０４号公報
【特許文献７】特開２００２−３０２８１０号公報
【発明の開示】
【発明が解決しようとする課題】
【００１３】
本発明は前述したような従来のインナー・ウェアにおける問題を解決し、吸汗性に優れたインナー・ウェアを提供することを目的とするものである。また、本発明においては、吸汗性が優れているとともにマッサージ効果を有するインナー・ウェアを提供することを目的とするものである。更に、本発明は姿勢の悪さをカバーするようなインナー・ウェアを提供することを目的とするものである。
【００１４】
また、本発明は、従来のシンカーを利用して形成するパイル編とは異なって、編組織と糸使いとの特殊な組合せによりパイルを形成したインナー・ウェアを提供することを目的とするものである。
【課題を解決するための手段】
【００１５】
本発明は、緯編で編まれたインナー・ウェアであって、ポリウレタン糸を芯糸とするカバードヤーンおよび綿糸を含んで編成されており、無張力状態ではインナー・ウェアの内面側において前記綿糸がパイルを形成しているパイル領域があり、該パイル領域においてはカバードヤーンまたはカバードヤーンと捲縮加工糸とを組合せた糸が半分以上のコースにおいて使用されており、綿糸単独または綿糸とカバードヤーンとを組合せた糸が半分以下のコースにおいて使用されており、前記綿糸単独または綿糸とカバードヤーンとを組合せた糸によりコース方向において連続して２〜８ウェール分浮き編が行われていることを特徴とするインナー・ウェアにより上記目的を達成する。
【発明の効果】
【００１６】
本発明によればインナー・ウェアの内面に綿糸によるパイルが形成されているパイル部分があり、このパイルが綿糸であるため吸汗性に優れている。
【００１７】
通常のパイル編ではシンカーにパイル糸を引掛けてパイルを形成しているものであるが、本発明においては、このようなシンカーによってパイルを形成するのではなく、芯糸にポリウレタン糸を使用したカバードヤーンを使うことにより、熱によりポリウレタン糸が収縮するという性質を利用して、綿糸によるパイルを形成したものである。従って、本発明によればパイルの大きさ（長さ）は、従来のようにシンカーを変えることによって大きさを変更させたりするのではなく、コース方向に連続して行う浮き編の数を変更することによってパイルの長さ（大きさ）を変更することができる。また従来のプレーティングパイル編では編地の表にパイル糸とグランド糸が斑に現れるが、本発明によれば斑がなくパイルを形成することが可能となるものである。
【００１８】
本発明のインナー・ウェアは体にフィットするようにカバリングヤーンを使用しているものであり、またマッサージが必要な部分にはインナー・ウェアの内面に突出した凸部が多数形成されていることによりマッサージ効果を有するものである。
【００１９】
また、本発明によれば背中部分にＸ字状部があり、この部分は本発明によりパイル領域としたものである。このパイル領域の編地を縦方向よりも横方向の伸縮性を小さいものとすることにより、このＸ字状部によって猫背になることを防止し、姿勢を正すことが可能となる。本発明のインナー・ウェアは、背筋をすっきりと伸ばすことを補助する役目を果すことができる。
【００２０】
更に、このような横方向の伸縮性が小さなパイル領域を乳房の周囲を囲むように配置するとともに、乳房部を締め付け力の弱い編地で編成することにより、本発明のインナー・ウェアを着用した者の乳房を押さえ付けることなく、乳房を包み込み、伸縮性が小さな周縁の編地により乳房の移動を防止し、乳房が揺れたりすることを防ぎ、安定感を与えることができる。
【００２１】
この横方向の伸縮性が小さい編地は、平編目がウェール方向に連続して編成される連続平編目ウェールと浮き編目がウェール方向に編成される浮き編目ウェールとからなり、浮き編目ウェールが２〜８本、好ましくは３〜５本、更に好ましくは４本連続して配置され次に連続平編目ウェールが１〜５本、好ましくは１〜３本、更に好ましくは１本配置される繰返しであり、且つ浮き編目ウェールにおける浮き編の開始位置がコース方向において揃っており、該編地がリブ編風の外観を呈していることが好ましい。
【００２２】
更に、本発明によれば、インナー・ウェアの内側に突出する凸部を腹部や肩甲骨部および後身頃の下部に設けており、この内側に突出する凸部によりマッサージ作用が発揮され、血行の促進が促される。このように本発明のインナー・ウェアによれば、腹部の血行をよくし且つ腹部を引締める効果があり、更に正しい姿勢を保つことを補助するので、本発明のインナー・ウェアを着用することによりスタイルがよく見える。
【００２３】
また、本発明のインナー・ウェアは、緯編で形成されており、しかもシングル針床の丸編機で編成できるので、生産性がよい。従って、本発明のインナー・ウェアは従来の補整用下着や特許文献７の衣類などに比べて安価なものとすることができる。本発明のインナー・ウェアはまた、締付けが適度なものとなるので窮屈でなく、着用感のよいインナー・ウェアである。
【発明を実施するための最良の形態】
【００２４】
以下、本発明の実施の形態を図面に基いて説明する。本発明のインナー・ウェアは、緯編で編成するものであり、特に、シングル針床の丸編機にて効率よく編成されるものである。
【００２５】
本発明のインナー・ウェアの編成に使用する糸は伸縮性が比較的大きな糸がよい。糸使いはカバードヤーン（例えば、ポリウレタン糸を芯糸として、これにナイロン糸をカバリングしたもの）、ウーリーナイロン糸、カバードヤーンとウーリーナイロン糸とを組合わせたもの、その他の伸縮性を有する糸、および綿糸または綿糸とカバードヤーンとを組合わせたものを使用して編成するものである。従って、本発明におけるインナー・ウェアは、通常の綿素材だけで編成されている肌着などに比較して伸縮性の大きいものである。
【００２６】
図１は本発明のインナー・ウェアの一実施例を示す正面図であり、図２は図１に示したインナー・ウェアの背中部を示す背面図である。この図示した実施例においては、裾部１を除いて同じ編組織の部分は同じような線（縦線や斜線）や白地で示している。裾部１は袋編で編成されている。図１および図２に示した実施例においては、衿ぐりはテープ２により縁取られており、また袖ぐりもテープ３により縁取られている。これらのテープ２、３はその長手方向に伸縮性を有するものを使用する。
【００２７】
図１および図２に示したインナー・ウェアにおいて縦線を施した領域Ａはパイル領域であり、斜線を施した領域Ｂはマッサージ領域であり、白地で示した部分Ｃは締め付け力の弱い編組織で編成された領域である。
【００２８】
図１に示したように、前身頃においてパイル領域Ａは乳房部１１を除いて肩１２からウエスト部分１３まで広がっているものである。マッサージ部Ｂは前身頃においては腹部１４の箇所がマッサージ部Ｂとなっている。また図２に示すように、後身頃においては右肩１２Ｒから左脇下１５Ｌにかけておよび左肩１２Ｌから右脇下１５ＲにかけてＸ字状にパイル領域Ａが広がっている。また腰部１６および肩甲骨部１７がマッサージ領域Ｂとなっている。
【００２９】
乳房部１１の周縁のパイル領域Ａおよび背中のＸ字状部１９におけるパイル領域Ａの編地は、縦方向（編地におけるウェール方向Ｗ）よりも横方向（編地におけるコース方向Ｃ）の伸縮性が小さいものが好ましい。伸縮性が小さいと、乳房の揺れを防止したり、背筋を伸ばすような方向に編地の張力が働き、猫背になることを防止し、すっきりと背筋を伸ばすことができる。なお、前身頃のパイル領域Ａの編組織と後身頃のパイル領域Ａの編組織とは必ずしも同じものでなくてもよい。
【００３０】
図３はパイル領域Ａを編成するための編組織の一例を記号により表示したものである。図３において、×印は平編の編目を表わし、−の印は浮き編を示している。なお、浮き編は編目を保持した編針が編成中にウエルト位置（不作動位置）をとり、編目を保持した編針に糸が新たに給糸されない状態とすることにより形成されるものである。すなわち、浮き編が連続して行われている箇所では編目が連続して作られずに、同じコースにおいて次の編目が作られるところまで糸が真直ぐに飛んでいる状態となる。
【００３１】
例えば、給糸口が８箇所ある編機を使用して図３に示したように編地を編成する場合、例えば、１番目の給糸口の箇所においては１Ｆで示したコースが糸Ｙ１（図４参照）により編まれ、コース１Ｆにおいては４回連続して浮き編が行われ、次に１回（１針分）平編が行われることが繰返されている。そして、次のコースである２番目の給糸口の箇所において編成されるコース２Ｆにおいて、糸Ｙ２（図４参照）により全ての編針で平編目が形成される。次の３番目の給糸口の箇所において編成されるコース３Ｆにおいては、１Ｆで示したコースの編目（編針）と同じウェールに位置する編目（編針）においては同じく浮き編が糸Ｙ３により行われている。すなわち、４回連続して浮き編が行われ、次に平編が行なわれることが繰返されている。そして、４番目の給糸口の給糸口の箇所において編成されるコース４Ｆコースにおいては、糸Ｙ４により再び全ての編目が平編で編まれる。コース５Ｆにおいては、１Ｆおよび３Ｆで示したコースの編目（編針）と同じウェールに位置する編目（編針）においては同じく浮き編が糸Ｙ５により行われている。コース６Ｆにおいて、糸Ｙ６により全ての編針で平編目が形成される。コース７Ｆにおいては、１Ｆ、３Ｆおよび５Ｆで示したコースの編目（編針）と同じウェールに位置する編目（編針）においては同じく浮き編が糸Ｙ７により行われている。コース８Ｆにおいて、糸Ｙ８により全ての編針で平編目が形成される。このように、浮き編を行った同じウェールにおいてＹ１、Ｙ３、Ｙ５およびＹ７が全て同じように浮き編とされている。そして、このような編組織が繰返されている。
【００３２】
図４は図３に示した編組織を編目で表した編組織図である。図４に示すように、ウェール方向Ｗに連続して平編目が編成されているウェール１１ｗ（以下、連続平編目ウェールと言う）と浮き編１２０の保持ループ１２１による編目がウェール方向Ｗに連続的に編成されている浮き編目ウェール１２ｗとから編地が構成されている。この編地はコース方向Ｃにおいて、連続平編目ウェール１１ｗに続いて浮き編目ウェール１２ｗが４本形成され、再び連続平編目ウェール１１ｗが１本編成され、そして再び浮き編目ウェール１２ｗが４本編成され、この繰返しとなっている。浮き編目ウェール１２ｗにおいては、浮き編１２０が連続して編成されており、これらの浮き編の開始点はどのウェールにおいても同じ位置から開始されている。
【００３３】
図４に示した実施例では、浮き編１２０は保持ループ１２１となる編目を保持した編針が、編成中ウエルト位置（不作動位置）に保たれており、編成動作を行わず、その間に供給する糸は編目を形成せずウエルトループ１２２となり、このウエルトループ１２２は保持ループ１２１の裏側に飛んで浮いている状態となる。図４に示した実施例では、浮き編１２０においては１コース分だけがウエルトループ１２２として編成が行われ、次の２コース目で保持ループ１２１を保持した編針が編成動作を行い、保持ループ１２１が編目を形成している。コース方向Ｃにおいて４ウェール分のウエルトループ１２２が保持ループ１２１の裏側に浮いた状態となっており、５ウェール毎に連続平編目ウェール１１ｗが編成されている。
【００３４】
連続平編目ウェール１１ｗの間の浮き編目ウェール１２ｗにおいては、前述したように、浮き編１２０におけるウエルトループ１２２が浮いた状態で保持ループ１２１による編目の裏側に飛んでおり、編地の裏側においてはウエルトループ１２２が連続平編目ウェール１１ｗよりも裏側に浮き上がった状態となっている。編地の表側では、浮き編１２０の保持ループ１２１による編目はウエルトループ１２２の上に浮いて編まれた編目であるので、連続平編目ウェール１１ｗの平編目よりも浮き上がった状態となっている。
【００３５】
本発明で特徴とするのは、編組織と糸使いとを組合せたことによりインナー・ウェアの内側においてパイルを形成したものである。すなわち、パイル領域においてはポリウレタン糸を芯糸とするカバードヤーンまたはこのカバードヤーンと捲縮加工糸とを組合せた糸を半分以上のコースにおいて使用し、綿糸単独または綿糸とポリウレタン糸を芯糸とするカバードヤーンとを組合せた糸を半分以下のコースにおいて使用し、綿糸単独または綿糸とカバードヤーンとを組合せた糸によりコース方向において連続して２〜８ウェール分浮き編を行う。このようにすると編成後に仕上げセット（熱セット）が行われると、ポリウレタン糸は収縮するが、綿糸は収縮しないので、コース方向に連続した浮き編における綿糸は長さが余った状態となり、パイルを形成する。好ましくは、綿糸によるコース方向に連続した浮き編と同じウェールにおいてポリウレタン糸を芯糸とするカバードヤーンにより同様にコース方向に連続した浮き編を形成する。この場合、綿糸とカバードヤーンとを組合せた糸として両者一緒に連続浮き編を形成してもよいし、綿糸とカバードヤーンとが別々のコースにおいて連続浮き編を形成してもよい。  図３および図４に示した編組織を使用して、８口給糸の丸編機で編成する場合の糸使いの一実施例を説明する。第１給糸口から給糸される糸Ｙ１は２０／４０のＳＣＹ（シングルカバードヤーン）と６０番綿糸との組合せであり、両糸が同じ編針に給糸されて両糸が同時に編まれる。糸Ｙ２は４０／４０ＳＣＹと３０／１０ウーリーナイロンとの組合せであり、第２給糸口から同時に給糸される。糸Ｙ３は第３給糸口から給糸され、糸Ｙ１と同じ糸使いであり、２０／４０ＳＣＹと６０番綿糸とを組合せたものである。糸Ｙ４は第４給糸口から給糸され、２０／４０ＳＣＹと３０／１０ウーリーナイロン糸とを組合せたものである。糸Ｙ５は第５給糸口から給糸され、２０／４０ＳＣＹと６０番綿糸とを組合せたものであり、糸Ｙ１と同じ糸使いである。糸Ｙ６は第６給糸口から給糸され、４０／４０ＳＣＹと３０／１０ウーリーナイロン糸とを組合せて使用したものであり、糸Ｙ２と同じ構成である。糸Ｙ７は第７給糸口から給糸され、２０／４０ＳＣＹである。糸Ｙ８は第８給糸口から給糸され、２０／４０ＳＣＹと３０／１０ウーリーナイロンとを組合せたものであり、糸Ｙ４と同じ構成である。
【００３６】
図４に示すように、糸Ｙ１、Ｙ３、Ｙ５およびＹ７においてウエルトループ１２２が４ウェール分連続して飛んだ状態となっており、糸Ｙ１、Ｙ３、Ｙ５は綿糸とＳＣＹとの組合せからなるものである。
【００３７】
図５はパイル領域Ａにおける編地を断面した状態を模式的に示した説明図である。このような編組織で編成した後に熱セットを行うと、ＳＣＹの芯糸であるポリウレタン糸が熱収縮して縮まる。このため図５に示すように、浮き編のウエルトループ１２２のうちカバードヤーンＹｂの部分は熱収縮するが、綿糸Ｙａは縮まないので、その分が余って図５（ａ）に示すような捩じれたようなパイル、或いは図５（ｂ）に示すように、単に膨らんだパイルとなってインナー・ウェアの内側に形成される。
【００３８】
また図５においてＹｃで示した糸は伸縮性を有する糸で、図３および図４においてコース方向に全て平編とした部分の糸を模式的に示したものである。すなわち、インナー・ウェアの表側となる部分は浮き編目の平編目部分１２０が表側に現れるので、表側は全て平編目が形成されていることになる。この糸Ｙｃは図５に関して言えば、４本分の浮き編目ウェール１２ｗの編目が膨らんだ状態、すなわち、インナー・ウェアの外側に突出した状態で膨らみ、この膨らみはウェール方向に延びている。そしてこの膨らみと膨らみの間に連続平編目ウェール１１ｗで形成された凹部が形成される。このような状態であるので、図３、図４に示した編地によればインナー・ウェアの表側においては、このパイル領域Ａはウェール方向に延びる凹部と凸部が並列して設けられたリブ風編地となっているものである。このリブ風編地は裏側（インナー・ウェアの内側）に浮き編１２０のウエルトループのうち綿糸Ｙａがパイルとなっているので、吸汗性がよく、肌触りがソフトである。
【００３９】
図３および図４に示した編組織で且つ前述した糸使いとすると、１コース置きに形成された連続浮き編にポリウレタン糸を芯糸とするカバードヤーンが全て使用されているので、このパイル領域Ａにおける編地は、縦方向に対するよりも身頃の横方向に対する伸縮性が小さいものである（すなわち、この編地はウェール方向Ｗよりもコース方向Ｃの伸縮性が小さいものである）。
【００４０】
図３、図４に示した実施例では、浮き編目ウェール１２ｗが４本連続した後、連続平編目ウェール１１ｗが１本編成される構成となっているが、この浮き編目ウェール１２ｗは２〜８本連続して配置してもよい。この場合、コース方向に浮き編が連続している数が多い方がパイルの長さ（大きさ）が長く（大きく）なる。浮き編目ウェール１２ｗに続く連続平編目ウェール１１ｗは１本に限られず２〜５本でもよい。連続平編目ウェール１１ｗが多過ぎると横方向（ウェール方向Ｃ）の延びが大きくなる傾向があるので、連続平編目ウェール１１ｗの本数は１〜５本程度とすることが好ましい。また、図３、図４に示した実施例では、コース方向の連続浮き編を１コース置きに配置したが、これに限定されず、ウェール方向に１〜５コース連続したものとしてもよいし、或はウェール方向に２〜４コース、更に好ましくは２〜３コース置きに配置してもよい。
【００４１】
マッサージ領域Ｂはインナー・ウェアの内側に突出した凸部を多数形成した領域であり、その編組織の一実施例を図６に示している。
【００４２】
図６に示した編組織は、腹部１４、腰部１６、肩甲骨部１７において適用される編組織の一例を示すものである。この編組織においては、インナー・ウェアの内側に突出する非連続状態の隆起部が形成されるものである。図６に示した実施例においては、浮き編が行われるウェールと、平編目のみが形成されるウェールの比率は１：２となっている。図６に示した編組織図において、浮き編が行われている箇所がインナー・ウェアの内側に向かって突出した隆起部となる箇所である。この実施例においては、一番長い浮き編はウェール方向Ｗにおいてウエルトループが１６個形成された１６飛びの浮き編であり、そこを中心に左右に浮き編の開始点および終了点が２つずつずらされた浮き編が３ウェール毎に形成されている。すなわち１６飛びの浮き編を中心として、その左右に１２飛びの浮き編、８飛びの浮き編、４飛びの浮き編が順次形成されており、これら一群の浮き編により１つの隆起部が形成される。このような一群の浮き編が上下左右に広がって配置されており、多数の隆起部が形成されるものである。図６においては、下側の浮き編との間には６つの平編目が形成されており、左右の隆起部となる浮き編と浮き編の間には１１本のウェールにおいて連続して平編目となっている。
【００４３】
なお、隆起部を形成するためには、この編組織に限定されるものではない。また、非連続状の隆起部だけではなく、隆起部が連続している畝状のものとしてもマッサージ効果があればよい。
【００４４】
図７は乳房部１１のところを編むための締め付け度が弱い編組織の一実施例を示す編組織図である。この編組織において糸Ｙ１、Ｙ３およびＹ５における綿糸ＹａとカバードヤーンＹｂが図に示すようにコース方向において異なった編方を行うものである。すなわち、糸Ｙ１、Ｙ３およびＹ５を編成する各コースにおいて、両方の糸Ｙａ、Ｙｂにより連続して２つ平編目が形成され、続いてカバードヤーンＹｂのみにより平編目が２つ形成され、その間は綿糸Ｙａは浮き編と同じように編針には掛けられない状態とする。これは、糸Ｙａおよび糸Ｙｂが同じ給糸口で給糸されても、糸Ｙａと糸Ｙｂの給糸位置が少しずれているので、この間に編針の上下動をコントロールすることによって行える。そしてこの編方の繰返しが行われる。糸Ｙ１、Ｙ５と糸Ｙ３は同じような動きであるが、２針分ずつずれている。糸Ｙ２、Ｙ４、Ｙ６、Ｙ７およびＹ８は全て平編で編成されている。全体として、この図７に示した編組織はインナー・ウェアの外側からは平編と同様なものであり、インナー・ウェアの内側には浮き編状態とした綿糸Ｙａが形成されている。このように殆ど平編目と同じ状態としているので締め付け力が弱く、乳房を押し潰したりすることがない。また、乳房部１１の周囲の編組織を図３、図４に示したリブ編風のパイル領域Ａとすると、ウェール方向においてパイル領域Ａにおける平編の編目の数が図７に示した編組織における平編の編目の数よりも少なく且つコース方向においてもパイル領域Ａの編地はリブ編風に凹凸を形成して長さが短くなっているので、図１に示すように、乳房部１１はパイル領域Ａとの境付近の周縁にひだ１１ａが形成され、乳房部１１は全体として立体的になる。なお、乳房部１１のところを編むための編組織は締め付け力が弱いものであればよく、図７の編組織に限られない。
【００４５】
図８は本発明の第２実施例の正面図である。図９は図８に示した実施例の背面図である。図８および図９に示した第２実施例が図１、２に示した第１実施例と異なっている点は丈を長くしたことである。そして、ウエスト部分１３より下の前身頃側の側部の箇所および後身頃側の側部の箇所に連続するような逆Ｕの字形のパイル領域Ａを設けていることである。この逆Ｕの字形の部分１８を設けて、この箇所の編組織を横方向に広がり難いもの（例えば図４に示した組織）とすることにより、身体の側部を適度の緊張力で締め付けることができる。その他の部分については第１実施例と同様のものである。
【００４６】
前述した２つの実施例では袖なしのキャミソールで説明したが、本発明のインナー・ウェアは、このキャミソールタイプに限られず袖のついたインナー・ウェアであってよい。
【００４７】
図１０はパンツ部を有するインナー・ウェアに本発明を適用した場合の実施例を示すものである。図１０はその正面図であり、図１１はその背面図である。図１０および図１１に示すように、パイル領域Ａはヒップ部２１を除いた後身頃のヒップ周縁部２２および前身頃においては脇から腹部上部２３にかけてパイル部Ａが形成されている。腹部中央部２４は斜めの畝がインナー・ウェアの内側に形成された部分でマッサージ領域Ｂである。脚部２５も別の編組織のマッサージ領域Ｂである。ヒップ部２１は締め付け力の弱い編組織による領域Ｃである。裾部１とパンツのウエスト部４は袋編である。
【００４８】
パイル領域Ａは先に説明した実施例のものと同様であり、また脚部２５におけるマッサージ部も先に説明したものと同様の編組織である。腹部中央部２４におけるマッサージ領域Ｂの編組織を図１２に示している。
【００４９】
図１２に示した編地は、図１０の腹部中央部２４を編成するための編組織図の一実施例を示すものである。この図１２に示した編組織図においては、ウェール方向に１２飛んだ浮き編が開始点を左上りまたは右上りに２つずつずらしながら編成される。このウェール方向の浮き編と浮き編との間に平編目のみのウェールが２本、３本の繰返しで配置されている。このように開始点が２つずつずれるという繰返しによりＶ字形の畝がインナー・ウェアの内部に突出した状態のものを編成することができる。このＶ字形畝の編組織も、図１２に示したものに限定されず、適宜変化させることができる。
【００５０】
またヒップ部２１における編組織は図７に示したような編組織としてもよいし、全てが平編目である編組織としてもよく、締め付け力が弱くヒップ部を潰さないような編組織であれば特に限定されない。
【図面の簡単な説明】
【００５１】
【図１】本発明のインナー・ウェアの一実施例を示す正面図である。
【図２】図１に示した実施例のインナー・ウェアの背面図である。
【図３】パイル領域における編み方の一例を記号で表した編組織図である。
【図４】図３の編組織を編目で表わした編組織図である。
【図５】パイル領域の編地の断面を模式的に表した説明図であり、図４（ａ）はパイルが大きい場合の例を示し、図４（ｂ）はパイルが小さい場合の例を示している。
【図６】マッサージ領域における編み方の一例を編目で表わした編組織図である。
【図７】締め付け力の弱い領域における編み方の一例を編目で表わした編組織図である。
【図８】本発明のインナー・ウェアの別の実施例を示す正面図である。
【図９】図８に示した実施例のインナー・ウェアの背面図である。
【図１０】本発明のパンツ部を有するインナー・ウェアの一実施例を示す正面図である。
【図１１】図１０に示した実施例のインナー・ウェアの背面図である。
【図１２】図１０に示した実施例の腹部中央部の編み方の一例を編目で表わした編組織図である。
【符号の説明】
【００５２】
Ａ  パイル領域
Ｂ  マッサージ領域
Ｃ  締め付け力の弱い領域
Ｙａ  綿糸
Ｙｂ  カバードヤーン
Ｙｃ  伸縮性を有する糸
Ｙ１〜Ｙ８  糸
１１ｗ  連続平編目ウェール
１２ｗ  浮き編目ウェール
【図１】
2006070399.tif 000003
【図２】
2006070399.tif 000004
【図３】
2006070399.tif 000005
【図４】
2006070399.tif 000006
【図５】
2006070399.tif 000007
【図６】
2006070399.tif 000008
【図７】
2006070399.tif 000009
【図８】
2006070399.tif 000010
【図９】
2006070399.tif 000011
【図１０】
2006070399.tif 000012
【図１１】
2006070399.tif 000013
【図１２】
2006070399.tif 000014
【手続補正書】
【提出日】平成16年9月13日(2004.9.13)
【手続補正１】
【補正対象書類名】明細書
【補正対象項目名】００５１
【補正方法】変更
【補正の内容】
【００５１】
【図１】本発明のインナー・ウェアの一実施例を示す正面図である。
【図２】図１に示した実施例のインナー・ウェアの背面図である。
【図３】パイル領域における編み方の一例を記号で表した編組織図である。
【図４】図３の編組織を編目で表わした編組織図である。
【図５】パイル領域の編地の断面を模式的に表した説明図であり、図５（ａ）はパイルが大きい場合の例を示し、図５（ｂ）はパイルが小さい場合の例を示している。
【図６】マッサージ領域における編み方の一例を編目で表わした編組織図である。
【図７】締め付け力の弱い領域における編み方の一例を編目で表わした編組織図である。
【図８】本発明のインナー・ウェアの別の実施例を示す正面図である。
【図９】図８に示した実施例のインナー・ウェアの背面図である。
【図１０】本発明のパンツ部を有するインナー・ウェアの一実施例を示す正面図である。
【図１１】図１０に示した実施例のインナー・ウェアの背面図である。
【図１２】図１０に示した実施例の腹部中央部の編み方の一例を編目で表わした編組織図である。